【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
センサに接続された少なくとも１つの表示装置を含むネットワーク内のモバイル装置を起動する方法であって、
前記表示装置に接続された前記センサによって前記モバイル装置を検出することと、
前記検出されたモバイル装置を表す仮想装置を、前記表示装置上の前記仮想装置の位置が前記センサのキャプチャ・フィールド内の前記モバイル装置の位置とリンクするように、前記表示装置上に表示することと、
アクションがユーザによって前記モバイル装置に対して行われたときに、前記ネットワーク内の前記モバイル装置を起動することと、
を含むことを特徴とする、前記方法。
【請求項２】
前記センサは、少なくとも１つの画像キャプチャ装置を含む、請求項１に記載の方法。
【請求項３】
形状が前記モバイル装置と関連付けられており、前記モバイル装置を検出することは形状による物体認識を含み、前記仮想装置による前記検出されたモバイル装置の表現が前記形状に基づく、請求項１または２に記載の方法。
【請求項４】
前記モバイル装置を検出することは、前記センサの前記キャプチャ・フィールド内の前記モバイル装置の位置を測定することを含む、請求項１から３のいずれか１項に記載の方法。
【請求項５】
前記モバイル装置を検出することは、前記センサの前記キャプチャ・フィールド内の前記モバイル装置の向きを測定することを含む、請求項１から４のいずれか１項に記載の方法。
【請求項６】
前記起動のための前記アクションは、前記仮想装置を前記表示装置上の結合領域に動かすように適応された前記モバイル装置の移動を含む、請求項１から５のいずれか１項に記載の方法。
【請求項７】
前記起動のための前記アクションは、前記モバイル装置上の領域の押圧を含む、請求項１から５のいずれか１項に記載の方法。
【請求項８】
前記起動のための前記アクションは、前記ユーザによって前記モバイル装置に対して行われる動きを含む、請求項１から５のいずれか１項に記載の方法。
【請求項９】
前記ネットワークは少なくとも１つの第２の装置をさらに含み、起動することは、前記表示装置上または少なくとも１つの第２の装置上でのコマンドの入力をさらに含む、請求項１から８のいずれか１項に記載の方法。
【請求項１０】
検出することが、無線通信フィールド内における予備検出によって開始される、請求項１から９のいずれか１項に記載の方法。
【請求項１１】
ネットワーク内のモバイル装置を起動するように構成された表示装置であって、前記表示装置は前記モバイル装置を検出するように構成されたセンサに接続されており、前記表示装置は、
前記検出されたモバイル装置を認識するように構成された物体認識モジュールと、
前記センサのキャプチャ・フィールド内の前記検出されたモバイル装置の位置を計算するモジュールと、
前記検出されたモバイル装置を表す仮想装置を、前記表示装置上の前記仮想装置の位置が、前記センサのキャプチャ・フィールド内の前記モバイル装置の前記位置とリンクするように前記表示装置上に合成するモジュールと、
アクションがユーザによって前記モバイル装置に対して行われたときに、前記ネットワーク内の前記モバイル装置を起動するモジュールと、
を含むことを特徴とする、前記表示装置。
【請求項１２】
前記センサは、少なくとも１つの画像をキャプチャするように構成された少なくとも１つのカメラを含む、請求項１１に記載の表示装置。
【請求項１３】
前記表示装置上に結合領域を表示するモジュールをさらに含み、前記仮想装置が前記結合領域上に位置決めされることによって前記起動するモジュールが起動される、請求項１１または１２に記載の表示装置。
【請求項１４】
表示装置と、
モバイル装置と、
前記表示装置に接続されたセンサとを含む、ネットワーク内のモバイル装置を起動するシステムであって、
検出されたモバイル装置を認識するように構成された物体認識モジュールと、
前記センサのキャプチャ・フィールド内の前記検出されたモバイル装置の位置を計算するモジュールと、
前記検出されたモバイル装置を表す仮想装置を、前記表示装置上の前記仮想装置の位置が、前記センサのキャプチャ・フィールド内の前記モバイル装置の前記位置にリンクするように、前記表示装置上に再現するように構成された前記表示装置上に合成するモジュールと、
アクションがユーザによって前記モバイル装置に対して行われたときに、前記ネットワーク内の前記モバイル装置を起動するモジュールと、
をさらに含むことを特徴とする、前記システム。
【請求項１５】
ネットワーク内のモバイル装置を起動するように構成された表示装置であって、前記表示装置は前記モバイル装置を検出するように構成されたセンサに接続され、前記表示装置は、プロセッサを備え、
前記検出されたモバイル装置を認識し、
前記センサのキャプチャ・フィールド内の前記検出されたモバイル装置の位置を計算し、
前記検出されたモバイル装置を表す仮想装置を、前記表示装置上の前記仮想装置の位置が前記センサのキャプチャ・フィールド内の前記モバイル装置の前記位置とリンクするように前記表示装置上に表示のために合成し、
行動がユーザによって前記モバイル装置に対して行われたときに、前記ネットワーク内の前記モバイル装置を起動する、表示装置。
【手続補正２】
【補正対象書類名】明細書
【補正対象項目名】０００９
【補正方法】変更
【補正の内容】
【０００９】
この目的のために、本発明は、特に、センサに接続されている少なくとも１つの表示装置を含むネットワーク内のモバイル装置を起動する方法を提案する。この方法は、
表示装置に接続されたセンサによってモバイル装置を検出することと、
検出されたモバイル装置を表す、仮想装置と呼ばれる装置を、表示スクリーン上の仮想装置の位置がセンサのキャプチャ・フィールド内のモバイル装置の位置とリンクするように、表示装置に表示することと、
アクションがユーザによってモバイル装置に対して行われたときに、ネットワーク内のモバイル装置を起動することと、を含むことを特徴とする。
【手続補正３】
【補正対象書類名】明細書
【補正対象項目名】００１０
【補正方法】変更
【補正の内容】
【００１０】
本発明による方法は、個別に、または組み合わせて採用することができる他の特徴を含むことができる。特に、
センサは、少なくとも１つの画像をキャプチャするように構成された少なくとも１つのカメラを含む。
形状がモバイル装置と関連付けられており、モバイル装置を検出することは形状に基づく物体認識を含み、仮想装置による検出されたモバイル装置の表現は形状に基づく。
モバイル装置を検出することは、表示装置に対するモバイル装置の相対位置を測定することを含む。
モバイル装置を検出することは、表示装置に対するモバイル装置の相対向きを測定することを含む。
起動のためのアクションは、仮想装置を表示装置上の結合領域に動かすように適応されたモバイル装置の移動を含む。
起動ステップのアクションは、モバイル装置上の領域の押圧である。
起動のためのアクションは、ユーザによってモバイル装置に対して行われる動きを含む。
ネットワークは少なくとも１つの第２の装置をさらに含み、起動することは、表示装置上または第２の装置上でのコマンドの入力をさらに含む。
検出は、無線通信フィールド内における予備検出によって開始される。
【手続補正４】
【補正対象書類名】明細書
【補正対象項目名】００１３
【補正方法】変更
【補正の内容】
【００１３】
ネットワーク内のモバイル装置を起動するように構成された表示装置は、
モバイル装置を検出するように構成されたセンサと、
検出されたモバイル装置を認識するように構成された物体認識モジュールと、
表示装置に対する検出されたモバイル装置の相対位置を計算するモジュールと、
前記検出されたモバイル装置を表す、仮想装置と呼ばれる装置を、モバイル装置の相対位置に従って表示装置上の仮想装置の相対位置を再現するように構成された表示装置上に合成するモジュールと、
アクションがユーザによってモバイル装置に対して行われたときに、ネットワーク内のモバイル装置を起動するモジュールと、を含むことを特徴とする。
【手続補正５】
【補正対象書類名】明細書
【補正対象項目名】００１４
【補正方法】変更
【補正の内容】
【００１４】
本発明は、上記項のいずれか１項による方法を実施するシステムも提案する。ネットワーク内のモバイル装置を起動するシステムは、
表示装置と、
モバイル装置と、
表示装置に接続されたセンサと、
検出されたモバイル装置を認識するように構成された物体認識モジュールと、
表示装置に対する検出されたモバイル装置の相対位置を計算するモジュールと、
検出されたモバイル装置を表す、仮想装置と呼ばれる装置を、モバイル装置の相対位置に従って表示装置上の仮想装置の相対位置を再現するように構成された表示装置上に合成するモジュールと、
アクションがユーザによってモバイル装置に対して行われたときに、ネットワーク内のモバイル装置を起動するモジュールと、を含むことを特徴とする。
【手続補正６】
【補正対象書類名】明細書
【補正対象項目名】００２４
【補正方法】変更
【補正の内容】
【００２４】
センサが、ネットワーク・ディスプレイに取り付けられる。以下では、非制限的な例として、このセンサは、例えばスクリーンの上部など、スクリーンに取り付けられた１つまたは複数の（少なくとも２つの）カメラであるものとする。ただし、本発明は、このタイプのセンサに限定されるわけではない。実際には、本発明は、空間中の物体を検出すること、すなわち、様々な変形例によれば、物体の形状（例えばキーまたはスクリーン用の領域を有する平行六面体など）を検出して、ネットワーク・ディスプレイに対する物体の相対距離を測定すること、またはネットワーク・ディスプレイに対する物体の相対向きを測定することを可能にする、任意のタイプのある程度洗練されたセンサにも関する。センサは、非制限的な例として、第２の別のカメラ、Ｍｉｃｒｏｓｏｆｔ社製のＫｉｎｅｃｔ（登録商標）タイプの追加機器、または単純な距離検出器と関連付けられることによって、奥行きマップを規定することができるカメラとすることもできる。このセンサは、平坦な表面（スマートフォン）を認識し、そのスクリーンまでの距離を測定するように構成された超音波装置、またはモバイル装置に埋め込まれたタグにセンサから電磁波を送信する（かつセンサがタグから電磁波を受信する）電磁式相対位置決め装置であってもよい。最後に、このセンサは、スクリーンをその前に置かれた物体の一種の表面キャプチャ装置にするように画像をキャプチャする、それ自体がスクリーンを構成する特定のセルを含むこともできる。空間中のスマートフォンなどの物体を検出して、物体の認識に必要な情報を検出し、かつその空間座標（最大６つの座標）を計算して、認識された形状からスマートフォンを表現したものをスクリーン上に合成することを可能にする、当業者に既知の任意の技術、特に、（特定の自動車駐車補助装置の場合など）赤外線スペクトル、電磁場または超音波スペクトルの波の放出に基づく技術を考慮することができる。
【手続補正７】
【補正対象書類名】明細書
【補正対象項目名】００２８
【補正方法】変更
【補正の内容】
【００２８】
機能構成要素は、以下の通りである。
・スマートフォン近接センサ。このセンサの様々な実施形態については、既に述べた。このセンサは、デフォルトでは待機状態になっていて、スマートフォンの存在がＷｉＦｉ検出されることによって、またはその他の任意の低消費電力存在検出器によって起動することができることに留意されたい。変形例によれば、センサは、待機状態にあるときには、その前に置かれた移動する物体の奥行きマップの構築だけを行い、物体が例えば３メートル未満などしきい値未満の距離で検出されたときだけ、計算負荷の高い物体認識機能、再構築機能およびモニタリング機能を作動させる。
・モバイル装置とデータベースから得られる物体とが整合した結果が得られる画像認識及び処理モジュール。変形例によれば、この画像処理は、例えばキーを含むものなどスマートフォンの前面の画像のシグネチャ、または、異なるスマートフォン同士を区別するその他の任意の視覚的特徴を使用する。有利なことに、ひとたび物体が認識され、スマートフォンと関連付けられると、仮想装置またはアバターと呼ばれる、そのスマートフォンのグラフィック表現をスクリーンに提示することができ、そのスマートフォンの向きの計算が可能になる。
・スクリーンに対するスマートフォンの空間中の相対位置についての少なくとも３つの座標（Ｘ，Ｙ，Ｚ）を計算するモジュールであり、完全なミラー効果を得るために、スクリーンに対するスマートフォンの相対向きによってこの相対位置を補足するときには最大６つの座標（Ｘ，Ｙ，Ｚ，ρ，θ，φ）を計算するモジュール。
・２Ｄまたは３Ｄのレンダリング・エンジンを用いて、上記の６つの座標を用いてスクリーン上にアバターを再生することが可能な、アバターをリアルタイムに合成するモジュール。種々の変形例によれば、アバターは、元のモバイル装置をアイコンの形態で写実的または象徴的に再現する。有利なことに、スマートフォンの原画像、すなわちカメラから直接得た画像は、スクリーン上にレンダリングされない。実際には、この画像は、特にスマートフォンを持っている手に隠れていてもよい。
・以前にスクリーンに提示されたコンテンツと、アバターと、結合領域が見える場合には結合領域とをリアルタイムにミキシングする、画像をミキシングするモジュール。
・結合領域上のアバターを検出し、スマートフォンをホーム・ネットワークに論理的に結合するアクションを開始するモジュール。
【手続補正８】
【補正対象書類名】明細書
【補正対象項目名】００２９
【補正方法】変更
【補正の内容】
【００２９】
一実施形態によれば、このシステムは、様々なタイプのスマートフォンを区別し、特にスマートフォンのタイプ、より一般的にはモバイル装置のタイプを参照するデータベースを用いて、それらを異なるようにスクリーン上に表現することができる。第１の変形例によれば、スマートフォンのタイプはスマートフォン・ブランドのモデルに対応し、アバターは、そのアバターがそのスマートフォンのように見えるようにアバターのデータベースから有利に選択される。この変形例では、スマートフォンのタイプを知ることで、システムには、例えばＤｉｒｅｃｔ  ＷｉＦｉ、Ｂｌｕｅｔｏｏｔｈ、カメラを備える装置であるなど（ただしこれらに限定されない）、そのスマートフォンの機能を知らされる。第２の変形例によれば、スマートフォンのタイプは、スマートフォンのスクリーン上の壁紙として使用される画像、またはユーザを識別するコード（ＱＲコード（登録商標）など）として使用される画像に対応する。アバターは、そのアバターがそのスマートフォンを所有するユーザに関連付けられるようにアバターのデータベースから有利に選択される。有利なことに、ユーザ・プロフィルが、データベースにおいて装置およびユーザの識別子とさらに関連付けられる。従って、ネットワーク・スクリーンは、ユーザ・プロフィルに関連付けられた個人的なユーザ環境（デスクトップなど）を表示する。第３の変形例によれば、スマートフォンのタイプは、アルファベットの文字列またはパターンに対応し、それにより、ユーザの名前またはその他の任意のスクリーン上に表示される情報もキャプチャすることができる。
【手続補正９】
【補正対象書類名】明細書
【補正対象項目名】００３７
【補正方法】変更
【補正の内容】
【００３７】
ネットワーク内のスマートフォンを起動する、またはスマートフォンを介してネットワーク上の機能を起動する第３のステップＥ３は、アバターが結合領域内に位置するようにスマートフォンを動かすなどのスマートフォンに対するユーザのアクションによって、スマートフォン上のキー（例えば起動専用のキー）を押すことによって、またはスマートフォン上でのアクション（フック）によって、開始される。
【手続補正１０】
【補正対象書類名】明細書
【補正対象項目名】００４１
【補正方法】変更
【補正の内容】
【００４１】
本発明は、単に非制限的な例として提供された上述のモバイル装置、ネットワーク表示装置およびモバイル装置を組み込む方法の実施形態に制限されるわけではなく、以下の特許請求の範囲の枠組み内で当業者が想定することができる全ての変形例を含む。
ここでいくつかの付記を記載する。
（付記１）
センサ（Ｃ）に接続されている少なくとも１つの表示装置（ＡＲ）を含むネットワーク（Ｒ）内のモバイル装置（Ｄ）を起動する方法であって、
前記表示装置に接続された前記センサによって前記モバイル装置を検出すること（Ｅ１）と、
前記検出されたモバイル装置を表す、仮想装置と呼ばれる装置を、表示スクリーン上の前記仮想装置の位置が前記センサのキャプチャ・フィールド内の前記モバイル装置の位置とリンクするように、前記表示装置上に表示すること（Ｅ２）と、
アクションが前記ユーザによって前記モバイル装置に対して行われたときに、前記ネットワーク内の前記モバイル装置を起動すること（Ｅ３）と、
を含むことを特徴とする、前記方法。
（付記２）
前記センサ（Ｃ）は、少なくとも１つの画像キャプチャ装置を含む、付記１に記載の方法。
（付記３）
形状が前記モバイル装置と関連付けられており、前記モバイル装置を検出すること（Ｅ１）は形状による物体認識を含み、前記仮想装置による前記検出されたモバイル装置の表現が前記形状に基づく、付記１または２に記載の方法。
（付記４）
前記モバイル装置を検出すること（Ｅ１）は、前記表示装置に対する前記モバイル装置の相対位置を測定することを含む、付記１から３のいずれか１項に記載の方法。
（付記５）
前記モバイル装置を検出すること（Ｅ１）は、前記表示装置に対する前記モバイル装置の相対向きを測定することを含む、付記１から４のいずれか１項に記載の方法。
（付記６）
前記起動（Ｅ３）のための前記アクションは、前記仮想装置を前記表示装置上の結合領域に動かすように適応された前記モバイル装置の移動を含む、付記１から５のいずれか１項に記載の方法。
（付記７）
前記起動のための前記アクションは、前記モバイル装置上の領域の押圧を含む、付記１から５のいずれか１項に記載の方法。
（付記８）
前記起動のための前記アクションは、前記ユーザによって前記モバイル装置に対して行われる動きを含む、付記１から５のいずれか１項に記載の方法。
（付記９）
前記ネットワークは少なくとも１つの第２の装置をさらに含み、起動することは、前記表示装置上または少なくとも１つの第２の装置上でのコマンドの入力をさらに含む、付記１から８のいずれか１項に記載の方法。
（付記１０）
検出することが、無線通信フィールド内における予備検出によって開始される、付記１から９のいずれか１項に記載の方法。
（付記１１）
ネットワーク（Ｒ）内のモバイル装置（Ｄ）を起動するように構成された表示装置（ＡＲ）であって、
前記モバイル装置を検出するように構成されたセンサ（Ｃ）と、
前記検出されたモバイル装置を認識するように構成された物体認識モジュールと、
前記表示装置に対する前記検出されたモバイル装置の相対位置を計算するモジュールと、
前記検出されたモバイル装置を表す、仮想装置と呼ばれる装置を、前記モバイル装置の前記相対位置に従って前記表示装置上の前記仮想装置の相対位置を再現するように構成された前記表示装置上に合成するモジュールと、
アクションが前記ユーザによって前記モバイル装置に対して行われたときに、前記ネットワーク内の前記モバイル装置を起動するモジュールと、
を含むことを特徴とする、前記表示装置。
（付記１２）
前記センサは、少なくとも１つの画像をキャプチャするように構成された少なくとも１つのカメラを含む、付記１１に記載の表示装置。
（付記１３）
前記表示装置上に結合領域を表示するモジュールをさらに含み、前記仮想装置が前記結合領域上に位置決めされることによって前記起動モジュールが起動される、付記１１または１２に記載の表示装置。
（付記１４）
表示装置（ＡＲ）と、
モバイル装置（Ｄ）と、
前記表示装置に接続されたセンサ（Ｃ）とを含む、ネットワーク内のモバイル装置を起動するシステムであって、
前記検出されたモバイル装置を認識するように構成された物体認識モジュールと、
前記表示装置に対する前記検出されたモバイル装置の相対位置を計算するモジュールと、
前記検出されたモバイル装置を表す、仮想装置と呼ばれる装置を、前記モバイル装置の前記相対位置に従って前記表示装置上の前記仮想装置の相対位置を再現するように構成された前記表示装置上に合成するモジュールと、
アクションが前記ユーザによって前記モバイル装置に対して行われたときに、前記ネットワーク内の前記モバイル装置を起動するモジュールと、
をさらに含むことを特徴とする、前記システム。